(57)【要約】【課題】  複数列の畦に沿って栽培された根菜類を複数列同時に掘り取る多畦式根菜類収穫機において、簡単かつ安価な構成であって、既存の駆動力を活用して効率的に茎葉の搬送詰まりを防止して、円滑に収穫作業を行うことができる、茎葉詰まり防止装置およびこれを備えた多畦式根菜類収穫機を提供する。【解決手段】  茎葉を掻き取る複数の掻取爪２１を有する掻取回転体２が、多畦式根菜類収穫機１に搭載された根菜類を搬送するコンベヤ１３，１４において茎葉が滞留する箇所に近設されている当該コンベヤ１３，１４の回転軸１３１，１４１に回転可能に設けられている。【選択図】  図３
2020089284.tif 000002
【特許請求の範囲】
【請求項１】
複数列の畦に沿って栽培された根菜類を複数列同時に掘り取る多畦式根菜類収穫機において、掘り取り前に前記根菜類から切断された茎葉の搬送詰まりを防止する茎葉詰まり防止装置であって、
前記茎葉を掻き取る複数の掻取爪を有する掻取回転体が、前記多畦式根菜類収穫機に搭載された前記根菜類を搬送するコンベヤにおいて前記茎葉が滞留する箇所に近設されている当該コンベヤの回転軸に回転可能に設けられている、前記茎葉詰まり防止装置。
【請求項２】
前記多畦式根菜類収穫機は、掘り取った前記根菜類を載置して上方へ搬送する掘取コンベヤと、この掘取コンベヤの上方において前記畦の間隔に合わせて並設されており掘り取った前記根菜類を前記掘取コンベヤとの間に挟持して搬送する複数の補助コンベヤとを有しており、
前記掻取回転体が、並設された前記各補助コンベヤ間の掘取口において、前記補助コンベヤの回転軸の外端部に回転可能に取り付けられているとともに、前記掘取口に滞留する茎葉を前記掘取コンベヤに掻き込むために前記掻取爪の先端部が圃場に接地する高さないし圃場からわずかに離れた高さに配置されている、請求項１に記載の茎葉詰まり防止装置。
【請求項３】
前記多畦式根菜類収穫機は、掘取コンベヤで搬送された後の前記根菜類および前記茎葉を搬送する搬送コンベヤと、この搬送コンベヤの上方で搬送方向と交差する幅方向に傾斜して架設された選別ローラとを有しており、前記搬送コンベヤにより搬送される前記根菜類を前記選別ローラに沿って横方向に移送するとともに前記茎葉を前記搬送コンベヤとの隙間に通過させて前記根菜類と前記茎葉とを選別するようになっており、
前記掻取回転体が、前記選別ローラの前記根菜類を移送する移送出口近傍に滞留する茎葉を掻き出すために、前記掻取爪の先端部が前記移送出口近傍に位置するように、当該移送出口に近設されている前記搬送コンベヤの駆動軸の外端部に回転可能に設けられている、請求項１または請求項２に記載の茎葉詰まり防止装置。
【請求項４】
請求項１から請求項３のいずれかに記載の茎葉詰まり防止装置を備えた多畦式根菜類収穫機。
【発明の詳細な説明】
【技術分野】
【０００１】
本発明は、複数列の畦に沿って栽培された根菜類を複数列同時に掘り取る多畦式根菜類収穫機において、掘り取り前に根菜類から切断された茎葉の搬送詰まりを防止する茎葉詰まり防止装置、およびこれを備えた多畦式根菜類収穫機に関するものである。
【背景技術】
【０００２】
従来、ビート等の根菜類を収穫する場合、根菜類収穫機が用いられている。このような根菜類収穫機を用いて根菜類を収穫する場合、根菜類から茎葉が切断された後、根菜類が掘り取られて掘取コンベヤで次工程に搬送されている。この場合、茎葉が掘取コンベヤの掘取口の外側へ跳ねのけられていく。
【０００３】
一方で、近年、複数列の畦に沿って栽培された根菜類を複数列同時に掘り取る多畦式根菜類収穫機が実用化されつつある。このような多畦式根菜類収穫機では、掘取口が前記複数列の畦に跨るように幅広く形成されているため、この掘取口における畦列間に茎葉が滞留してしまい、正常な掘り取りができなくなる等のトラブルが発生している。
【０００４】
そこで、このようなトラブルに対して、ビート畦列間異物排除機構が提案されている（特許文献１）。この発明は、複数のビートの畦列に対応して設けられた掘取口の前方に支持されてビート畦列間のビート茎葉および土砂を横方向へ排除する回転駆動クリーナーと、この回転駆動クリーナーの前方にビート畦列間の地面に向けて回転可能に支持された左右一対の円盤状コールターとを具備し、ビート畦列間の茎葉を左右コールター相互の複合傾斜面により左右それぞれのビート畦列の頂部まで押し上げて、後続のクリーナーによりビート畦列の外側へ振り落として除去するものである。
【先行技術文献】
【特許文献】
【０００５】
【特許文献１】特許第５１８６６０９号公報
【発明の概要】
【発明が解決しようとする課題】
【０００６】
しかしながら、特許文献１に記載のビート畦列間異物排除機構は、横方向へ回転する回転駆動機構を設ける必要があり、コスト高になるという問題がある。また、上記の回転駆動クリーナーは、畦列に対していずれか片方向へ茎葉を振り落として除去する必要があるため、除去性能が著しく低いという欠点がある。さらに、例えば、回転駆動力を上げたとしても、本来収穫すべき根菜類を弾き飛ばしてしまい、収穫率を大幅に低下させてしまうという問題もある。
【０００７】
一方で、茎葉の除去対策をなんら講じないとすると、大量の茎葉が掘取口における畦列間に滞留してしまい、収穫機が滞留物を押し分けて進むような状態となり、掘りこぼしが発生するなど正常な掘り取りができなくなるという問題がある。また、根菜類とともに収穫機内に取り込まれる茎葉も増量するため、搬送上の不具合が発生しやすくなるという問題もある。
【０００８】
本発明は、以上のような問題点を解決するためになされたものであって、複数列の畦に沿って栽培された根菜類を複数列同時に掘り取る多畦式根菜類収穫機において、簡単かつ安価な構成であって、既存の駆動力を活用して効率的に茎葉の搬送詰まりを防止して、円滑に収穫作業を行うことができる、茎葉詰まり防止装置およびこれを備えた多畦式根菜類収穫機を提供することを目的としている。
【課題を解決するための手段】
【０００９】
本発明に係る茎葉詰まり防止装置は、複数列の畦に沿って栽培された根菜類を複数列同時に掘り取る多畦式根菜類収穫機において、簡単かつ安価な構成であって、既存の駆動力を活用して効率的に茎葉の搬送詰まりを防止して、円滑な収穫作業を可能にするという課題を解決するために、前記茎葉を掻き取る複数の掻取爪を有する掻取回転体が、前記多畦式根菜類収穫機に搭載された前記根菜類を搬送するコンベヤにおいて前記茎葉が滞留する箇所に近設されている当該コンベヤの回転軸に回転可能に設けられている。
【００１０】
また、本発明の一態様として、茎葉が掘取口に詰まるのを防止して、正常な掘り取り作業を維持するという課題を解決するために、前記多畦式根菜類収穫機は、掘り取った前記根菜類を載置して上方へ搬送する掘取コンベヤと、この掘取コンベヤの上方において前記畦の間隔に合わせて並設されており掘り取った前記根菜類を前記掘取コンベヤとの間に挟持して搬送する複数の補助コンベヤとを有しており、前記掻取回転体が、並設された前記各補助コンベヤ間の掘取口において、前記補助コンベヤの回転軸の外端部に回転可能に取り付けられているとともに、前記掘取口に滞留する茎葉を前記掘取コンベヤに掻き込むために前記掻取爪の先端部が圃場に接地する高さないし圃場からわずかに離れた高さに配置されている。
【００１１】
さらに、本発明の一態様として、茎葉が移送出口近傍に詰まるのを防止して、根菜類が茎葉とともに収穫機外に排出されるを防止するという課題を解決するために、前記多畦式根菜類収穫機は、掘取コンベヤで搬送された後の前記根菜類および前記茎葉を搬送する搬送コンベヤと、この搬送コンベヤの上方で搬送方向と交差する幅方向に傾斜して架設された選別ローラとを有しており、前記搬送コンベヤにより搬送される前記根菜類を前記選別ローラに沿って横方向に移送するとともに前記茎葉を前記搬送コンベヤとの隙間に通過させて前記根菜類と前記茎葉とを選別するようになっており、前記掻取回転体が、前記選別ローラの前記根菜類を移送する移送出口近傍に滞留する茎葉を掻き出すために、前記掻取爪の先端部が前記移送出口近傍に位置するように、当該移送出口に近設されている前記搬送コンベヤの駆動軸の外端部に回転可能に設けられている。
【００１２】
本発明に係る多畦式根菜類収穫機は、複数列の畦に沿って栽培された根菜類を複数列同時に掘り取る多畦式根菜類収穫機において、簡単かつ安価な構成であって、既存の駆動力を活用して効率的に茎葉の搬送詰まりを防止して、円滑な収穫作業を可能にするという課題を解決するために、上述のいずれかの態様の茎葉詰まり防止装置を備えてなる。
【発明の効果】
【００１３】
本発明によれば、複数列の畦に沿って栽培された根菜類を複数列同時に掘り取る多畦式根菜類収穫機において、簡単かつ安価な構成であって、既存の駆動力を活用して効率的に茎葉の搬送詰まりを防止して、円滑に収穫作業を行うことができる。
【図面の簡単な説明】
【００１４】
【図１】本発明に係る茎葉詰まり防止装置を備えた多畦式根菜類収穫機の一実施形態を示す（ａ）平面図および（ｂ）右側面図である。
【図２】本実施形態の多畦式根菜類収穫機における搬送コンベヤおよび選別ローラを見える状態にした平面図である。
【図３】本実施形態の茎葉詰まり防止装置における掻取回転体を補助コンベヤの回転軸に設けた状態を示す斜視図である。
【図４】図３の状態を示す側面図である。
【図５】本実施形態の茎葉詰まり防止装置における掻取回転体を搬送コンベヤの駆動軸に設けた状態を示す斜視図である。
【図６】図５の状態を示す背面図である。
【図７】本実施形態において選別ローラによって選別される根菜類と茎葉の流れを示す平面図である。
【図８】本実施形態において掘取口近傍における茎葉の滞留する箇所を示す正面図である。
【図９】本実施形態において移送出口近傍における茎葉の滞留する箇所を示す側面図である。
【発明を実施するための形態】
【００１５】
以下、本発明に係る茎葉詰まり防止装置およびこれを備えた多畦式根菜類収穫機の一実施形態について図面を用いて説明する。
【００１６】
多畦式根菜類収穫機１０は、図１に示すように、複数列の畦２００に沿って栽培された根菜類３００を複数列同時に掘り取るための機械であり、トラクタなどによって牽引されて前記根菜類３００の掘り取りを行う。なお、本発明において、根菜類３００は、根や地下茎を食用とする作物であり、例えば、ビート、ダイコン、ニンジン、タマネギ、ジャガイモが例示される。
【００１７】
本実施形態の多畦式根菜類収穫機１０は、図２に示すように、主として、根菜類３００を土から掘り取る掘取刃１１と、掘り取った根菜類３００を載置して上方へ搬送する掘取コンベヤ１２と、この掘取コンベヤ１２とともに根菜類３００を挟持して搬送する複数の補助コンベヤ１３と、前記掘取コンベヤ１３により搬送された根菜類３００およびその茎葉を搬送する搬送コンベヤ１４と、この搬送コンベヤ１４の上方で根菜類３００とその茎葉とを選別する選別ローラ１５と、前記茎葉の搬送詰まりを防止する茎葉詰まり防止装置１とを有する。以下、各構成について説明する。
【００１８】
掘取刃１１は、図３および図４に示すように、土に埋まっている根菜類３００を掘り取るためのものであり、板状に形成されている。この掘取刃１１は、前方（進行方向）から後方（後退方向）に向けて上り傾斜状で、かつ先端が圃場４００の土中（畦中）に進入可能な高さに設置されている。本実施形態では、２列の畦２００の根菜類３００を掘り取り可能にするため、掘取コンベヤ１２の前方下端に畦２００の間隔に合わせて構成される左右２箇所の掘取口１６に各１枚ずつ設置されている。なお、掘取刃１１の形状は板状のものに限定されるものではなく、櫛刃状などから適宜選択してもよい。
【００１９】
掘取コンベヤ１２は、掘取刃１１によって掘り取られた根菜類３００を搬送する、いわゆるベルトコンベヤである。本実施形態における掘取コンベヤ１２は２列の畦２００の間隔に合わせて左右幅が各畦２００によって構成される左右幅より広く形成されている。この掘取コンベヤ１２は前方から後方に向けて上り傾斜状に構成されており、回転駆動されることによって根菜類３００を上方へ搬送するようになっている。
【００２０】
補助コンベヤ１３は、掘り取られた根菜類３００を前記掘取コンベヤ１２とともに挟持して上方への搬送を補助するためのベルトコンベヤである。この補助コンベヤ１３は、前記掘取コンベヤ１２の上方に根菜類３００を挟持可能な程度の隙間を設けて並設されている。本実施形態における補助コンベヤ１３は、２列の畦２００の間隔に合わせて左右２列に設置されている。これらの補助コンベヤ１３は、回転駆動するため、前方側および後方側にそれぞれ回転軸１３１を有する。掘取口１６は、補助コンベヤ１３および掘取コンベヤ１２の各前方側で囲まれた上下の隙間によって構成される。
【００２１】
搬送コンベヤ１４は、図５および図６に示すように、掘り取られた根菜類３００を搬送するベルトコンベヤのうち選別ローラ１５を備えたベルトコンベヤである。本実施形態における搬送コンベヤ１４は、図２に示すように、掘取コンベヤ１２および補助コンベヤ１３の後方側において搬送方向に対して直交方向に（左右方向に搬送するように）設置されている。この搬送コンベヤ１４は、回転駆動するため、両端にそれぞれ回転軸を有する。また、前記回転軸のうち茎葉を排出する側の回転軸は、前記搬送コンベヤ１４を駆動するための駆動軸１４１になっている。
【００２２】
選別ローラ１５は、図７に示すように、搬送コンベヤ１４により搬送される根菜類３００と、この根菜類３００とともに搬送される茎葉とを選別するローラであり、搬送コンベヤ１４の上方で搬送方向と交差する幅方向に傾斜して架設されている。選別ローラ１５と搬送コンベヤ１４との間には、根菜類３００より低い隙間を有しており、根菜類３００は回転する選別ローラ１５に沿って横方向に移送され移送出口１７から搬出されるようになっているとともに、茎葉は前記隙間から搬送コンベヤ１４に沿って搬送され端部から機外へ排出されるようになっている。移送出口１７は、傾斜した選別ローラ１５の後端側と、当該選別ローラ１５によって移送される根菜類３００の流れる方向の搬送コンベヤ１４の側部とによって構成される。
【００２３】
また、選別ローラ１５の後方には、根菜類３００が収穫機外にこぼれ出るのを防止するこぼれ防止板１８が移送方向に沿って設けられている。このこぼれ防止板１８の下端部は、選別ローラ１５の下方へ張り出している。
【００２４】
茎葉詰まり防止装置１は、多畦式根菜類収穫機１０に搭載された根菜類３００を搬送するコンベヤに滞留する茎葉を掻き取ることで詰まりを防止するためのものであり、主に、茎葉を掻き取る掻取回転体２からなり、前記コンベヤの回転軸１３１，１４１に回転可能に設けられている。なお、本発明において茎葉は、掘り取り前に根菜類から切断されたものであり、前記茎葉に固着した小石、土砂等の夾雑類を含むものである。
【００２５】
掻取回転体２は、図３ないし図６に示すように、円盤状の金属系または樹脂系の弾性を有する材料よって構成されており、本実施形態ではポリウレタンによって形成されている。この掻取回転体２は、茎葉を掻き取る複数の掻取爪２１が外周から放射状に延設されており、法線方向に対して傾斜している。また、掻取回転体２の中央部には、コンベヤの回転軸１３１，１４１を嵌合させる嵌合孔２２が形成されている。本実施形態における掻取回転体２は、掘取口１６の近傍および移送出口１７の近傍にそれぞれ設けられる。以下、掘取口１６の近傍および移送出口１７の近傍における茎葉が詰まる要因とともに、掻取回転体２の設置位置について説明する。
【００２６】
掘取コンベヤ１２および補助コンベヤ１３により構成される掘取口１６には、上述のとおり根菜類３００を掘り上げる掘取刃１１が畦２００の間隔に合わせて複数設けられている。多畦式根菜類収穫機１０は、トラクタ等により牽引されることで前記掘取刃１１が各畦２００から根菜類３００を掘り取る。
【００２７】
このとき、掘り取り前に根菜類３００から切断されて圃場４００に残留している茎葉は、図８に示すように、掘取刃１１によって左右外側方向へと跳ねのけられていく。一方、各掘取口１６，１６の間の茎葉は、外側に跳ねのけられず、掘取コンベヤ１２によって堰き止められて滞留する。滞留したまま収穫作業が続けられると、多畦式根菜類収穫機１０が滞留物を押し分けて走行するような状態となって、掘りこぼしが発生するなど正常な掘り取りができなくなってしまう。
【００２８】
そこで、本実施形態では、図３および図４に示すように、掻取回転体２が各補助コンベヤ１３，１３間の掘取口１６において、補助コンベヤ１３の回転軸１３１の外端部に回転可能に取り付けられており、掘取口１６の近傍に滞留する茎葉を掘取コンベヤ１２に掻き込むようになっている。
【００２９】
具体的には、掻取回転体２が、各掘取口１６の内側における補助コンベヤ１３の回転軸１３１の外端部に嵌合孔２２を嵌合させて前記回転軸１３１と一体的に回転するように固定されている。このとき掻取爪２１の先端部が圃場４００に接地する高さないし圃場４００からわずかに離れた高さに配置されており、圃場４００に残された茎葉を掘取コンベヤ１２に掻き込むことができるようになっている。本実施形態では、左側の補助コンベア１３の回転軸１３１の右端部と、右側の補助コンベア１３の回転軸１３１の左端部に取り付けられており、各掘取口１６の中央部に滞留する茎葉を掘取コンベヤ１２に掻き込むようになっている。なお、掻取回転体２を設置する回転軸１３１は、補助コンベヤ１３の駆動力を前記掻取回転体２に伝動可能な軸であれば、前記補助コンベヤ１３を回転駆動させる駆動軸であっても、前記補助コンベヤ１３の駆動回転に従って動作する従動軸であってもよい。
【００３０】
また、本実施形態における掻取回転体２は、各補助コンベヤ１３の回転軸１３１にそれぞれ取り付けられているが、この構成に限られず、必要な掻き込み量に応じて左右のいずれかの回転軸１３１に取り付けられていてもよく、各回転軸１３１に対して２つ以上を取り付けてもよい。
【００３１】
次に、移送出口１７の近傍では、選別ローラ１５によって選別できなかった茎葉が根菜類３００とともに移送出口１７に移送される。このとき、選別できなかった茎葉は、図９に示すように、こぼれ防止板１８の張り出し部分近傍に滞留する。この状態を放置すると、滞留する茎葉によって選別ローラ１５が浮き上がり搬送コンベヤ１４との隙間が広がり、選別すべき根菜類３００が搬送コンベヤ１４との隙間を通過してしまう。本実施形態では、掘取口１６の近傍に設けられた掻取回転体２が各掘取口１６の間に滞留した茎葉を掘取コンベヤ１２に掻き込むため、根菜類３００とともに搬送される茎葉の量が多く、移送出口１７近傍では茎葉が詰まりやすい。
【００３２】
そこで、本実施形態では、掻取回転体２が、移送出口１７に近設されている搬送コンベヤ１４の駆動軸１４１の外端部に回転可能に取り付けられており、当該移送出口１７近傍に滞留する茎葉を掻き出すようになっている。
【００３３】
具体的には、掻取回転体２が、移送出口１７側における搬送コンベヤ１４の駆動軸１４１の外端部に嵌合孔２２を嵌合させて固定する。このとき、掻取爪２１の先端部が茎葉の溜まる移送出口１７近傍に位置するように配置させる。本実施形態では、選別ローラ１５より後方の下方位置に２つの掻取回転体２が並設されており、搬送コンベヤ１４の駆動軸１４１とともに、掻取爪２１の傾斜方向とは反対方向に回転させることで茎葉を掻き出して搬送コンベヤ１４の後方へ排出するようになっている。
【００３４】
次に、本実施形態の茎葉詰まり防止装置１およびこれを備えた多畦式根菜類収穫機１０の作用について説明する。
【００３５】
多畦式根菜類収穫機１０に茎葉防止装置１を搭載させるために、掻取回転体２を補助コンベヤ１３の回転軸１３１や搬送コンベヤ１４の駆動軸１４１にそれぞれ取り付ける。このように掻取回転体２は、多畦式根菜類収穫機１０のコンベヤの回転軸１３１，１４１に取り付けるだけであるから、簡単かつ低コストに搭載させることが可能である。
【００３６】
次に、多畦式根菜類収穫機１０により根菜類３００を掘り取る前に前記根菜類３００から茎葉を切断する。切断した茎葉は圃場４００に残される。
【００３７】
多畦式根菜類収穫機１０は、複数列の畦２００、本実施形態では２列の畦２００を跨ぐように配置され、トラクタなどによって畦２００に沿って牽引される。掘取口１６に設けられた掘取刃１１は、畦２００の土中にある根菜類３００を掘り取る。このとき、土や茎葉は掘取刃１１によって掘取コンベヤ１２の左右外側へと跳ねのける。跳ねのけられなかった茎葉は根菜類３００とともに掘取コンベヤ１２および補助コンベヤ１３によって搬送される。
【００３８】
各畦２００の間の茎葉は、掘取刃１１により跳ねのけることができずに掘取口１６間に滞留する。茎葉詰まり防止装置１における掻取回転体２は掘取口１６近傍の補助コンベヤ１３の回転軸１３１とともに回転する。このように、補助コンベヤ１３の回転駆動とともに掻取回転体２を回転させることが可能であり、既存の駆動力を有効活用することができる。このとき、掻取爪２１がその先端を圃場４００に設置する高さないし圃場４００からわずかに離れた高さに配置しているため、回転することにより畦列間の茎葉を掻き込み、掘取コンベヤ１２の上に載置させる。これにより、茎葉が掘取口１６間に詰まるのを防止し、正常な掘り取り作業を可能にする。
【００３９】
つぎに、掘取コンベヤ１２で搬送された後の根菜類３００および茎葉が搬送コンベヤ１４によって搬送される。前記搬送コンベヤ１４上は、選別ローラ１５が搬送されてくる根菜類３００を横方向へ移送させるとともに、茎葉については搬送コンベヤ１４との隙間を通過させて選別する。ここで選別しきれなかった茎葉は根菜類３００とともに移送出口１７へ移送され、一部は搬送コンベヤ１４とこぼれ防止板１８と間に詰まる。このとき、移送出口１７に近設されている搬送コンベヤ１４の駆動軸１４１の外端部に取り付けられている掻取回転体２が、回転して移送出口１７近傍に滞留している茎葉を掻き取って搬送コンベヤ１４の後方へ排出する。これにより、移送出口１７近傍で茎葉が詰まって選別ローラ１５が浮き上がるのを防止することで、根菜類３００が搬送コンベヤ１４との隙間を通過して収穫機外に排出されるのを防止する。また、搬送コンベヤ１４の回転駆動とともに掻取回転体２を回転させることが可能であることから、茎葉詰まり防止装置１には、回転駆動部を別途設ける必要がない。
【００４０】
そして、移送出口１７から搬出された根菜類３００は搬送エレベータ１９で多畦式根菜類収穫機１０の頂部に移送されて、収容タンク２０に収容される。以上のようにして、多畦式根菜類収穫機１０を用いて円滑に収穫作業を行うことが可能になり、根菜類３００の収穫率を向上させることができる。
【００４１】
以上のような本実施形態の茎葉詰まり防止装置１およびこれを備えた多畦式根菜類収穫機１０によれば、以下の効果を得ることができる。
１．多畦式根菜類収穫機１０におけるコンベヤの駆動力を活用して効率的に茎葉の搬送詰まりを防止することができる。
２．多畦式にすることで発生する掘取口１６間の茎葉の詰まりを簡単かつ安価な構造の茎葉詰まり防止装置１によって防止することができる。
３．茎葉が移送出口１７近傍に詰まるのを防止して、根菜類３００が搬送コンベヤ１４と選別ローラ１５との隙間を通過し、機外へと排出されるを防止することができる。特に、掘取口１６間の茎葉を掻き込むために増加する茎葉の詰まりを防止することができる。
４．茎葉が掘取口１６の近傍および移送出口１７の近傍で滞留し各コンベヤなどに詰まるのを防止することで、正常な掘り取り作業を維持し、円滑に収穫作業を行うことで根菜類３００の収穫率を向上させることができる。
【００４２】
なお、本発明に係る茎葉詰まり防止装置およびこれを備えた多畦式根菜類収穫機は、前述した実施形態に限定されるものではなく、適宜変更することができる。
【００４３】
例えば、上述の実施形態において、茎葉詰まり防止装置１は、掻取回転体２が掘取口１６の中央部に取り付けられている２畦式の多畦式根菜類収穫機１０に用いられるものに限定されるものではなく、３列以上の畦に対応した多畦式根菜類収穫機１０に対しても、掻取回転体２を各補助コンベヤ１３間の掘取口１６に取り付けることにより、好適に適用することが可能である。
【００４４】
また、本実施形態の茎葉詰まり防止装置１では、掻取回転体２を補助コンベヤ１３の回転軸１３１と搬送コンベヤ１４の駆動軸１４１とにそれぞれ取り付けられて構成されているが、この構成に限られるものではなく、いずれか一方に取り付けられていてもよい。さらに、茎葉の滞留する箇所に近接されているコンベヤの回転軸であれば、いずれのコンベヤの回転軸に取り付けられていてもよい。
【符号の説明】
【００４５】
１  茎葉詰まり防止装置
２  掻取回転体
１０  多畦式根菜類収穫機
１１  掘取刃
１２  掘取コンベヤ
１３  補助コンベヤ  
１４  搬送コンベヤ
１５  選別ローラ
１６  掘取口
１７  移送出口
１８  こぼれ防止板
１９  搬送エレベータ
２０  収容タンク
２１  掻取爪
２２  嵌合孔
１３１  補助コンベヤの回転軸
１４１  搬送コンベヤの駆動軸
２００  畦
３００  根菜類
４００  圃場
【図１】
2020089284.tif 000003
【図２】
2020089284.tif 000004
【図３】
2020089284.tif 000005
【図４】
2020089284.tif 000006
【図５】
2020089284.tif 000007
【図６】
2020089284.tif 000008
【図７】
2020089284.tif 000009
【図８】
2020089284.tif 000010
【図９】
2020089284.tif 000011